(57)【要約】【課題】ノートパソコンを誤って落下させたり、堅いものに打ち当てた場合、ノートパソコンにとって有害な衝撃力が加わったことをユーザに知らせ、故障の可能性を警告し、または故障を予知させる衝撃検知部材、および故障警告・予知装置を提供することを目的とする。【解決手段】衝撃検知部材１２は、電子機器の筐体内の一壁面に固着されるベース部１２１と、くびれ部１２３によってベース部とを連結して支持され、所定以上の衝撃力で脱落する衝撃検出部１２２とから成り、電子機器に所定以上の衝撃力が加わるとくびれ部が損傷して衝撃検出部がベース部より脱落し移動可能になり、筐体内部で異物音を発することで衝撃力が加わったことを警告し、電子機器の故障を予知させる。【選択図】図１
2008250391.tif 000002
【特許請求の範囲】
【請求項１】
電子機器の筐体内の一壁面に固着されるベース部と、
くびれ部によって前記ベース部とを連結して支持され、所定以上の衝撃力で脱落する衝撃検出部とから成り、
前記電子機器に所定以上の衝撃力が加わると前記くびれ部が損傷して前記前記衝撃検出部が前記ベース部より脱落し移動可能になり、前記筐体内部で異物音を発することで衝撃力が加わったことを警告し、前記電子機器の故障を予知させることを特徴とする衝撃検知部材。
【請求項２】
前記くびれ部が損傷して前記衝撃検出部が前記ベース部より脱落させる力は、
前記電子機器にとって有害な衝撃力を受けると前記ベース部は静止して、前記衝撃検出部は慣性の法則に従って直線運動を維持しようとする性質との瞬時のズレを前記くびれ部が損傷する力として作用させて衝撃力を検知するようにしたことを特徴とする請求項１に記載の衝撃検知部材。
【請求項３】
複数の壁面で形成された箱体と、
前記箱体の一壁面に固着して配置した請求項１に記載の衝撃検知部材と
を備えたことを特徴とする故障警告・予知装置。
【請求項４】
前記箱体の複数の壁面の少なくとも一壁面は電子機器筐体内のフレームの一部を共有することを特徴とする請求項３に記載の衝撃による故障警告・予知装置。
【請求項５】
前記箱体は電子機器とは独立した部材で構成され、
前記箱体内に配置した請求項１に記載の衝撃検知部材と、
から成る故障警告・予知装置ユニットであることを特徴とする故障警告・予知装置。
【発明の詳細な説明】
【技術分野】
【０００１】
本発明は、ノート型パーソナルコンピュータのような携帯型電子機器（以下、総称してノートパソコン）を誤って落下させたり、堅いものに打ち当てた場合にノートパソコンにとって有害な衝撃力が加わったことをユーザに知らせ、ノートパソコンの故障の可能性を警告し、または故障を予知させる電子機器のための衝撃検知部材、および故障警告・予知装置に関するものである。
【背景技術】
【０００２】
近年、ノートパソコンのような携帯型電子機器は小型軽量化が進み、持ち運び移動したり、屋外で使用する機会も多くなっている。従って、誤って落下させたり（図５（ａ））、机の角のような堅いものに打ち当てたり（図５（ｂ））するケースも益々多くなってきている。
【０００３】
一般にハードディスクドライブ（ＨＤＤ）はヘッドがデータの読み書き中にディスク面に垂直に衝撃を加える場合、すなわちノートパソコンの底面、天面を下に落下させたような場合、ヘッドがディスク表面を叩くヘッドスラップと呼ばれる現象が起こり易い。ヘッドスラップは、ディスクの記録表面或いはヘッドの物理的損傷を招き、少なくともディスクの損傷部に対するデータの記録再生ができなくなる。
【０００４】
しかし、実使用上では図５（ａ）（ｂ）のように表示部を閉じた状態でノートパソコンの厚み方向の面（側面部）を下に落下させたり、壁に打ち当てるケースは、上述のようなノートパソコンの底面、天面に衝撃力が加わるケースよりも多いと考えられる。
【特許文献１】特開２００１−１１８３７３号公報
【特許文献２】特開２０００−９９１８２号公報
【特許文献３】特開２００５−１５６８５４号公報
【特許文献４】特開２００５−３０９３７号公報
【発明の開示】
【発明が解決しようとする課題】
【０００５】
このような場合、ＨＤＤへの損傷は少ないもののノートパソコンの底面、天面に比べて面積の狭い側面部はその分、単位面積当たりの衝撃力は大きく機械的損傷の度合いも増す。従って、ノートパソコン筐体の損傷も前者の場合より激しく、筐体だけでなく筐体内部の電気回路を構成する部品、電気部品からなるユニット品、機構部品の損傷、電池の端子や他の様々な端子の接触不良にもつながる可能性がある。
【０００６】
ユーザが誤ってノートパソコンを落下させた場合はノートパソコンが故障する可能性を自覚、予知できるものの、ノートパソコンを持ち運びしているうちに自覚ないまま堅いものに当てたり、また、オーナー以外の他の人が誤って落下させてオーナーであるノートパソコン管理者に落下させたことを伝えなかったときには故障する可能性があるにもかかわらずそのまま使用し続け、業務中の肝心なときに故障の症状が表面化する場合もあり得る。よって、このような場合、何らかの方法でノートパソコンにとって有害な衝撃力が加わったことをユーザに対して故障の可能性を警告し、または故障を予知させる必要がある。
【０００７】
本発明は上記従来の問題点を解決するもので、ノートパソコンのような携帯型電子機器を誤って落下させたり、堅いものに打ち当てた場合、ノートパソコンにとって有害な衝撃力が加わったことをユーザに知らせ、故障の可能性を警告し、または故障を予知させる衝撃検知部材、および故障警告・予知装置を提供することを目的とする。
【課題を解決するための手段】
【０００８】
本発明の請求項１に記載の発明は、
電子機器の筐体内の一壁面に固着されるベース部と、
くびれ部によって前記ベース部とを連結して支持され、所定以上の衝撃力で脱落する衝撃検出部とから成り、
前記電子機器に所定以上の衝撃力が加わると前記くびれ部が損傷して前記前記衝撃検出部が前記ベース部より脱落し移動可能になり、前記筐体内部で異物音を発することで衝撃力が加わったことを警告し、前記電子機器の故障を予知させることを特徴とする衝撃検知部材としたものであり、
ノートパソコンのような携帯型電子機器を誤って落下させたり、堅いものに打ち当てた場合、ノートパソコンにとって有害な衝撃力が加わったことをユーザに知らせ、故障の可能性を警告し、または故障を予知させることができるという作用を有する。
【発明の効果】
【０００９】
以上のように本発明の衝撃検知部材、および故障警告・予知装置は、ノートパソコンのような携帯型電子機器を誤って落下させたり、堅いものに打ち当てた場合、ノートパソコンにとって有害な衝撃力が加わったことをユーザに知らせ、故障の可能性を警告し、または故障を予知させることができるという優れた効果が得られる。
【発明を実施するための最良の形態】
【００１０】
以下、本発明の実施の形態について、図１から図３を用いて説明する。
【００１１】
（実施の形態１）
図１は本発明のノートパソコンの筐体を取り除いた筐体内部に実装した衝撃検知部材の斜視図である。
【００１２】
図１において、１１はノートパソコンの筐体を形成する内部フレーム、１２は本発明の故障警告・予知装置を構成する衝撃検知部材である。衝撃検知部材１２は円錐形状のベース部１２１と球形の所定以上の衝撃力で脱落する衝撃検出部１２２から成る。ベース部１２１、衝撃検出部１２２は同じ材質により一体に成型されており、所定の衝撃力以上の力が加わると損傷して衝撃検出部１２２がベース部１２１より脱落するような細く、くびれた部分であるくびれ部１２３によって連結されている。衝撃検知部材１２はベース部１２１によってノートパソコンの内部フレーム１１壁面に接着剤で容易に離脱しないように固着する。１３は蓋体であり、衝撃検知部材１２を配置した床壁、４つの側壁と蓋体１３によりなる箱体１４を形成して故障警告・予知装置を構成する。
【００１３】
図２は衝撃検知部材１２の設置面に対して９０度方向にノートパソコンを誤って落下させ衝撃検知部材の動作を説明する図である。
【００１４】
図３は衝撃検知部材１２の設置面に対して図２とは異なる別の角度である１８０度方向にノートパソコンを誤って落下させ衝撃検知部材の動作を説明する図である。
【００１５】
以上のように構成された衝撃検知部材、および故障警告・予知装置について、図１〜図３を用いてその動作を説明する。
【００１６】
図２において衝撃検知部材１２の設置面に対して９０度方向にノートパソコンを誤って落下させ（ａ）、床面に衝突すると衝撃検出部１２２はその慣性でさらに落下しようとするので、落下によって略静止したベース部１２１との間のくびれ部１２３に落下衝撃力に比例した力が加わる（ｂ）。その衝撃力が所定以上になるとくびれ部１２３が損傷して衝撃検出部１２２はベース部１２１から脱落する（ｃ）。脱落した球形の衝撃検出部１２２はフレーム１１の壁部、蓋体１３で形成された箱体１４内を移動可能となり、ノートパソコンを移動、携帯する場合には「カラカラ」という異物混入音を発して、ユーザは「機器内部で異音がする。何らかの故障ではないか。」と思わせることで、ユーザには衝撃による故障の可能性を警告し、または故障を予知させる。
【００１７】
なお、慣性とは、ある物体が外力を受けないとき、その物体の運動状態を維持しようとする性質のことである。静止した物体に力が働かないとき、その物体は慣性系に対し静止を続ける。一方、運動している物体に力が働かないとき、その物体は慣性系に対し運動状態を維持し、等速直線運動を続ける性質があり、これは慣性の法則（運動の第１法則）として知られている。
【００１８】
図２（ｂ）では床面に衝突すると衝撃検出部１２２は慣性の法則に従って落下（直線運動）を続けようとするが、フレーム１１に固定されたベース部１２１は床面に到達してほとんど静止するので、衝撃検出部１２２と静止するベース部１２１間に衝撃力に比例した瞬間的なズレ力（Ｆ）が発生し、くびれ部１２３の強度がこの力を超えるとこれを損傷して衝撃検出部１２２はベース部１２１から脱落する。Ｆは以下で示される。
Ｆ＝ｍ・ａ
ｍ：衝撃検出部１２２の質量
ａ：加速度（ｖ／Δｔ）
ｖ：衝突直前のベース部１２１、衝撃検出部１２２の速度
Δｔ：衝突直前のベース部１２１が速度ｖから略静止（速度ｖ＝０）するまでの時間
図３において衝撃検知部材１２の設置面に対して１８０度方向にノートパソコンを誤って落下させ（ａ）、床面に衝突すると衝撃検出部１２２はその慣性でさらに落下しようとするので、落下によって略静止したベース部１２１との間のくびれ部１２３に落下衝撃力に比例した力が加わる（ｂ）。その衝撃力が所定以上になるとくびれ部１２３が損傷して衝撃検出部１２２はベース部１２１から脱落する（ｃ）。脱落した球形の衝撃検出部１２２はフレーム１１の壁部、蓋体１３で形成された箱体１４内を移動可能となり、ノートパソコンを移動、携帯する場合には「カラカラ」という異物混入音を発して、ユーザは「機器内部で異音がする。何らかの故障ではないか。」と思わせることで、ユーザには衝撃による故障の可能性を警告し、または故障を予知させる。
【００１９】
このように図２とは別の異なる角度であってもノートパソコンを誤って落下させ所定以上の衝撃力が衝撃検知部材に加われば同様の作用効果があることがわかる。
【００２０】
以上のように本実施の形態の衝撃検知部材、および故障警告・予知装置によれば、ノートパソコンのような携帯型電子機器を誤って落下させたり、堅いものに打ち当てた場合、ノートパソコンにとって有害な衝撃力が加わったことをユーザに知らせ、故障の可能性を警告し、または故障を予知させることができる。
【００２１】
なお、衝撃検知部材１２は円錐形状のベース部１２１と球形の衝撃検出部１２２から成り、ベース部１２１と衝撃検出部１２２とは細く、くびれた部分のくびれ部１２３によって連結されているとして説明したが、このような形状に限るものではなく、ベース部は多角錐形、細い柱形状であってもよいし、また、衝撃検出部１２２は重心が図形形状の中心にある正多面体等であればよい。すなわち、衝撃検知部材１２を設置した電子機器にあらゆる方向からでも衝撃力が加わって、どの方向からでもその衝撃力が所定以上になると衝撃検出部１２２を支持している部分が破損してベース部１２１より脱落するような形状であればよい。
【００２２】
また、衝撃検知部材１２を構成するベース部１２１、衝撃検出部１２２は同じ材質で一体に成型されていると説明したが衝撃検知の感度を上げる、すなわちより弱い衝撃力で衝撃検出部１２２が脱落するように衝撃検出部１２２の重さを増してもよい。この場合、衝撃検知部材１２を樹脂で成型し、衝撃検出部１２２の重さを増すために中心部に金属球を埋め込むように構成してもよい。
【００２３】
また、くびれ部１２３径の長さ、くびれ形状を変えることで衝撃検知部材１２の衝撃検知の感度を調整することもできる。
【００２４】
また、衝撃検知部材１２は、内部フレーム１１壁面と蓋体１３で形成された箱体１４の一壁面に接着剤で固着するとしたが、図４（ａ）（ｂ）のように、故障警告・予知装置ユニットとして構成してもよい。それぞれ２つのピース２１、２２または２つのピース３１，３２のように樹脂成形してもよいし、衝撃検知部材１２の部分を別ピースの３ピース構成し、後で接着剤等により接着してもよい。このように故障警告・予知装置ユニットとして構成することでノートパソコンの任意の空きスペースに接着剤等で固着して配置できるといった効果がある。
【００２５】
また、図３において衝撃検知部材１２の設置面に対して１８０度方向にノートパソコンを誤って落下させる場合を説明した。この場合と１８０度異なる方向、すなわち０度方向にノートパソコンを誤って落下させた場合は、衝撃検出部１２２に加わる衝撃力はベース部１２１に支持されて所定の衝撃力で脱落しないケースがある。このような場合は、別の衝撃検知部材１２を異なる角度で配置することでも解決できる。図４の故障警告・予知装置ユニットを異なる角度でノートパソコンの任意の空きスペースに配置するのが効果的である。
【００２６】
また、これまで衝撃検知部材１２を箱体１４の一壁面に固着して収容する実施の形態を説明したが、これは脱落した衝撃検出部１２２がノートパソコンの筐体内を移動可能となり、例えばノートパソコン内の機構部品の隙間に挟まってこれを壊すといった故障の原因となることを避けるためである。従ってこのような心配のないノートパソコン筐体内の構成が保証できれば上記箱体１４は不要であり、衝撃により脱落した衝撃検出部１２２がノートパソコン筐体内を自由移動可能になり、異物混入音を発してユーザには衝撃による故障の可能性を警告し、または故障を予知させてもよいことは言うまでもない。
【産業上の利用可能性】
【００２７】
本発明にかかる故障警告・予知装置は、ノートパソコンを誤って落下させたり、堅いものに打ち当てた場合、ノートパソコンにとって有害な衝撃力が加わったことをユーザに知らせ、故障の可能性を警告し、または故障を予知させることができるという効果を有し、携帯型電子機器のための故障警告・予知装置等として有用である。
【図面の簡単な説明】
【００２８】
【図１】本発明のノートパソコンの筐体を取り除いた筐体内部に実装した衝撃検知部材の斜視図
【図２】衝撃検知部材の設置面に対して９０度方向にノートパソコンを誤って落下させ衝撃検知部材の動作を説明する図
【図３】衝撃検知部材の設置面に対して１８０度方向にノートパソコンを誤って落下させ衝撃検知部材の動作を説明する図
【図４】故障警告・予知装置ユニットの構成図
【図５】（ａ）はノートパソコンを誤って落下させたことを示す図、（ｂ）はノートパソコンを堅いものに打ち当てたことを示す図
【符号の説明】
【００２９】
１１  ノートパソコンの内部フレーム
１２  衝撃検知部材
１２１  ベース部
１２２  衝撃検出部
１２３  くびれ部
１３  蓋体
１４  箱体
【図１】
2008250391.tif 000003
【図２】
2008250391.tif 000004
【図３】
2008250391.tif 000005
【図４】
2008250391.tif 000006
【図５】
2008250391.tif 000007